(57)【要約】  低い周波数のノイズの発生を抑制できる高周波信号線路を提供することである。  信号線路Ｓ１は、誘電体シート１８の表面に設けられている線路部２０と、誘電体シート１８の裏面に設けられている線路部２１と、線路部２０と線路部２１とを接続するビアホール導体ｂ１とを含んでいる。グランド導体２２は、線路部２０に沿って延在しており、端部２３ａ−２，２３ａ−３が端部２３ａ−２，２３ａ−３以外の中間部分２３ａ−１よりも線路部２０に近接しているグランド部２３を含んでいる。グランド導体２４は、線路部２１に沿って延在しており、端部２５ａ−２，２５ａ−３が端部２５ａ−２，２５ａ−３以外の中間部分２５ａ−１よりも線路部２１に近接しているグランド部２５を含んでいる。ビアホール導体ｂ３は、端部２３ａ−２と端部２５ａ−３とを接続している。
2014002766.tif 000002
【特許請求の範囲】
【請求項１】
第１の層及び第２の層を有する本体と、
前記第１の層に設けられている第１の線路部と、前記第２の層に設けられている第２の線路部と、該第１の線路部と該第２の線路部とを接続する第１の層間接続部とを含んでいる信号線路と、
前記第１の層において前記第１の線路部に沿って延在している第１のグランド部であって、両端が該両端以外の中間部分よりも該第１の線路部に近接している第１のグランド部を含んでいる第１のグランド導体と、
前記第２の層において前記第２の線路部に沿って延在している第２のグランド部であって、両端が該両端以外の中間部分よりも該第２の線路部に近接している第２のグランド部を含んでいる第２のグランド導体と、
前記第１のグランド部の端部と前記第２のグランド部の端部とを接続する第２の層間接続部と、
を備えており、
前記第１の層間接続部と前記第２の層間接続部との距離は、前記第１の線路部と前記第１のグランド部の中間部分との距離よりも小さく、かつ、前記第２の線路部と前記第２のグランド部の中間部分との距離よりも小さいこと、
を特徴とする高周波信号線路。
【請求項２】
前記第１のグランド導体は、前記第１の層において、前記第１の線路部に関して前記第１のグランド部の反対側に設けられ、かつ、該第１の線路部に沿って延在している第３のグランド部であって、両端が該両端以外の中間部分よりも該第１の線路部に近接している第３のグランド部を更に含んでおり、
前記第２のグランド導体は、前記第２の層において、前記第２の線路部に関して前記第２のグランド部の反対側に設けられ、かつ、該第２の線路部に沿って延在している第４のグランド部であって、両端が該両端以外の中間部分よりも該第２の線路部に近接している第４のグランド部を更に含んでおり、
前記高周波信号線路は、
前記第３のグランド部の端部と前記第４のグランド部の端部とを接続する第３の層間接続部を、
更に備えており、
前記第１の層間接続部と前記第３の層間接続部との距離は、前記第１の線路部と前記第３のグランド部の中間部分との距離よりも小さく、かつ、前記第２の線路部と前記第４のグランド部の中間部分との距離よりも小さいこと、
を特徴とする請求項１に記載の高周波信号線路。
【請求項３】
前記第１の層間接続部ないし第３の層間接続部は、前記信号線路が延在している方向に対して直交する方向に並んでいること、
を特徴とする請求項２に記載の高周波信号線路。
【請求項４】
前記第１のグランド導体は、前記第１の層の法線方向から平面視したときに、前記第２の線路部と重なっている第５のグランド部を更に含んでおり、
前記第２のグランド導体は、前記第２の層の法線方向から平面視したときに、前記第１の線路部と重なっている第６のグランド部を更に含んでいること、
を特徴とする請求項１ないし請求項３のいずれかに記載の高周波信号線路。
【請求項５】
前記本体は、１枚のシート部材を含んでおり、
前記第１の層は、前記シート部材の表面であり、
前記第２の層は、前記シート部材の裏面であること、
を特徴とする請求項１ないし請求項４のいずれかに記載の高周波信号線路。
【請求項６】
隣り合う前記第１の層間接続部間の距離は、前記信号線路を伝送する高周波信号の波長の１／２より短いこと、
を特徴とする請求項１ないし請求項５のいずれかに記載の高周波信号線路。
【請求項７】
複数の前記第１の線路部と複数の前記第２の線路部とは、交互に並んでいること、
を特徴とする請求項１ないし請求項６のいずれかに記載の高周波信号線路。
【発明の詳細な説明】
【技術分野】
【０００１】
本発明は、高周波信号線路に関し、より特定的には、高周波信号の伝送に用いられる高周波信号線路に関する。
【背景技術】
【０００２】
従来の高周波信号線路としては、例えば、特許文献１に記載の信号線路が知られている。図１０は、特許文献１に記載の信号線路５００の分解図である。【０００３】
図１０に示す信号線路５００は、本体５１２、グランド導体５３０ａ，５３０ｂ，５３４及び信号線５３２を備えている。本体５１２は、絶縁シート５２２ａ〜５２２ｄがこの順に積層されて構成されている。【０００４】
信号線５３２は、絶縁シート５２２ｃ上に設けられている。グランド導体５３０ａ，５３０ｂは、絶縁シート５２２ｂ上に設けられている。グランド導体５３０ａ，５３０ｂは、スリットＳを介して対向している。スリットＳは、積層方向から平面視したときに、信号線５３２と重なっている。したがって、グランド導体５３０ａ，５３０ｂは、信号線５３２とは対向していない。【０００５】
グランド導体５３４は、絶縁シート５２２ｄ上に設けられており、絶縁シート５２２ｃを介して信号線５３２と対向している。【０００６】
以上のように構成された信号線路５００では、グランド導体５３０ａ，５３０ｂが信号線５３２と対向していないので、グランド導体５３０ａ，５３０ｂと信号線５３２との間に容量が形成されにくくなる。そのため、グランド導体５３０ａ，５３０ｂと信号線５３２との積層方向の間隔を小さくしても、これらの間に形成される容量が大きくなりすぎて、信号線５３２の特性インピーダンスが所望の特性インピーダンスからずれることが抑制される。その結果、信号線路５００では、本体５１２の薄型化を図ることが可能である。【０００７】
しかしながら、特許文献１に記載の信号線路５００では、以下に説明するように、比較的に低い周波数のノイズが発生しやすい。以下では、信号線路５００の両端を端部５４０ａ，５４０ｂとし、信号線路５００の端部５４０ａ，５４０ｂ間の部分を線路部５４２とする。【０００８】
信号線路５００は、図１０に示すように、線路部５４２において均一な断面構造を有している。そのため、線路部５４２における信号線５３２の特性インピーダンスは均一である。一方、端部５４０ａ，５４０ｂは、例えば、回路基板のソケットに挿入される。この際、ソケット内の端子と信号線５３２の両端とが接続されるので、これらの接続部分において寄生インピーダンスが発生する。更に、端部５４０ａ，５４０ｂにおける信号線５３２が回路基板のソケット内の導体と対向するため、端部５４０ａ，５４０ｂにおける信号線５３２と回路基板のソケット内の導体との間には寄生容量が形成される。その結果、端部５４０ａ，５４０ｂにおける信号線５３２の特性インピーダンスは、線路部５４２における信号線５３２の特性インピーダンスと異なってしまう。【０００９】
ここで、端部５４０ａ，５４０ｂにおける信号線５３２の特性インピーダンスが線路部５４２における信号線５３２の特性インピーダンスと異なると、端部５４０ａ，５４０ｂにおいて高周波信号の反射が発生する。これにより、端部５４０ａ，５４０ｂ間の距離を１／２波長とする低い周波数の定在波が発生する。その結果、信号線路５００から低い周波数のノイズが放射される。
【先行技術文献】
【特許文献】
【００１０】
【特許文献１】国際公開２０１１／０１８９３４号パンフレット
【発明の概要】
【発明が解決しようとする課題】
【００１１】
そこで、本発明の目的は、低い周波数のノイズの発生を抑制できる高周波信号線路を提供することである。
【課題を解決するための手段】
【００１２】
本発明の一形態に係る高周波信号線路は、第１の層及び第２の層を有する本体と、前記第１の層に設けられている第１の線路部と、前記第２の層に設けられている第２の線路部と、該第１の線路部と該第２の線路部とを接続する第１の層間接続部とを含んでいる信号線路と、前記第１の層において前記第１の線路部に沿って延在している第１のグランド部であって、両端が該両端以外の中間部分よりも該第１の線路部に近接している第１のグランド部を含んでいる第１のグランド導体と、前記第２の層において前記第２の線路部に沿って延在している第２のグランド部であって、両端が該両端以外の中間部分よりも該第２の線路部に近接している第２のグランド部を含んでいる第２のグランド導体と、前記第１のグランド部の端部と前記第２のグランド部の端部とを接続する第２の層間接続部と、を備えており、前記第１の層間接続部と前記第２の層間接続部との距離は、前記第１の線路部と前記第１のグランド部の中間部分との距離よりも小さく、かつ、前記第２の線路部と前記第２のグランド部の中間部分との距離よりも小さいこと、を特徴とする。
【発明の効果】
【００１３】
本発明によれば、低い周波数のノイズの発生を抑制できる。
【図面の簡単な説明】
【００１４】
【図１】一実施形態に係る高周波信号線路の外観斜視図である。
【図２】一実施形態に係る高周波信号線路の誘電体素体の分解図である。
【図３】一実施形態に係る高周波信号線路の信号線路及びグランド導体を平面視した図である。
【図４】高周波信号線路のコネクタの外観斜視図及び断面構造図である。
【図５】高周波信号線路が用いられた電子機器をｙ軸方向及びｚ軸方向から平面視した図である。
【図６】第１の変形例に係る高周波信号線路の信号線路及びグランド導体を平面視した図である。
【図７】第２の変形例に係る高周波信号線路の信号線路及びグランド導体を平面視した図である。
【図８】第３の変形例に係る高周波信号線路の信号線路及びグランド導体を平面視した図である。
【図９】第４の変形例に係る高周波信号線路の信号線路及びグランド導体を平面視した図である。
【図１０】特許文献１に記載の信号線路の分解図である。
【発明を実施するための形態】
【００１５】
以下に、本発明の実施形態に係る高周波信号線路について図面を参照しながら説明する。
【００１６】
（高周波信号線路の構成）
以下に、本発明の一実施形態に係る高周波信号線路の構成について図面を参照しながら説明する。図１は、一実施形態に係る高周波信号線路１０の外観斜視図である。図２は、一実施形態に係る高周波信号線路１０の誘電体素体１２の分解図である。図３は、一実施形態に係る高周波信号線路１０の信号線路Ｓ１及びグランド導体２２，２４を平面視した図である。図１ないし図３において、高周波信号線路１０の積層方向をｚ軸方向と定義する。また、高周波信号線路１０の長手方向をｘ軸方向と定義し、ｘ軸方向及びｚ軸方向に直交する方向をｙ軸方向と定義する。
【００１７】
高周波信号線路１０は、図１ないし図３に示すように、誘電体素体（本体）１２、信号線路Ｓ１、グランド導体２２，２４、コネクタ１００ａ，１００ｂ及びビアホール導体ｂ３〜ｂ６を備えている。
【００１８】
誘電体素体１２は、図１に示すように、ｚ軸方向から平面視したときに、ｘ軸方向に延在しており、線路部１２ａ及び接続部１２ｂ，１２ｃを含んでいる。誘電体素体１２は、図２に示すように、保護層１４、誘電体シート（シート部材）１８及び保護層１５がｚ軸方向の正方向側から負方向側へとこの順に積層されて構成されている可撓性の積層体である。以下では、誘電体素体１２のｚ軸方向の正方向側の主面を表面と称し、誘電体素体１２のｚ軸方向の負方向側の主面を裏面と称す。
【００１９】
線路部１２ａは、ｘ軸方向に延在している。接続部１２ｂは、線路部１２ａのｘ軸方向の負方向側の端部に接続されており、矩形状をなしている。接続部１２ｃは、線路部１２ａのｘ軸方向の正方向側の端部に接続されており、矩形状をなしている。接続部１２ｂ，１２ｃのｙ軸方向の幅は、線路部１２ａのｙ軸方向の幅と等しい。すなわち、誘電体素体１２は、ｚ軸方向から平面視したときに長方形状をなしている。
【００２０】
誘電体シート１８は、ｚ軸方向から平面視したときに、ｘ軸方向に延在しており、誘電体素体１２と同じ形状をなしている。誘電体シート１８は、ポリイミドや液晶ポリマー等の可撓性を有する熱可塑性樹脂により構成されている。誘電体シート１８の厚さは、例えば、２００μｍである。以下では、誘電体シート１８のｚ軸方向の正方向側の主面を表面と称し、誘電体シート１８のｚ軸方向の負方向側の主面を裏面と称す。
【００２１】
また、誘電体シート１８は、線路部１８ａ及び接続部１８ｂ，１８ｃにより構成されている。線路部１８ａは、線路部１２ａを構成している。接続部１８ｂは、接続部１２ｂを構成している。接続部１８ｃは、接続部１２ｃを構成している。
【００２２】
信号線路Ｓ１は、図２に示すように、誘電体素体１２に設けられている線状導体であり、ｘ軸方向に延在している。信号線路Ｓ１は、線路部２０，２１及びビアホール導体（層間接続部）ｂ１，ｂ２により構成されている。
【００２３】
線路部２０（第１の線路部）は、誘電体素体１２の誘電体シート１８の表面（第１の層）に設けられている。線路部２１（第２の線路部）は、誘電体素体１２の誘電体シート１８の裏面（第２の層）に設けられている。
【００２４】
線路部２０は、図２及び図３に示すように、誘電体シート１８の線路部１８ａの表面に設けられており、ｘ軸方向において等間隔に並ぶ長方形状の導体である。線路部２１は、誘電体シート１８の線路部１８ａの裏面に設けられており、ｘ軸方向において等間隔に並ぶ長方形状の導体である。ただし、線路部２０と線路部２１とは、ｘ軸方向においてずらされて配置されている。そして、線路部２０のｘ軸方向の正方向側の端部は、ｚ軸方向から平面視したときに、線路部２１のｘ軸方向の負方向側の端部と重なっている。線路部２０のｘ軸方向の負方向側の端部は、ｚ軸方向から平面視したときに、線路部２１のｘ軸方向の正方向側の端部と重なっている。よって、線路部２０，２１は、ｘ軸方向において交互に並んでいる。
【００２５】
また、ｘ軸方向の最も負方向側に位置する線路部２０のｘ軸方向の負方向側の端部は、接続部１８ｂの表面の中央に位置している。同様に、ｘ軸方向の最も正方向側に位置する線路部２０のｘ軸方向の正方向側の端部は、接続部１８ｃの表面の中央に位置している。ｘ軸方向の最も負方向側に位置する線路部２０のｘ軸方向の負方向側の端部及びｘ軸方向の最も正方向側に位置する線路部２０のｘ軸方向の正方向側の端部はそれぞれ、外部端子として用いられる。以下では、ｘ軸方向の最も負方向側に位置する線路部２０のｘ軸方向の負方向側の端部及びｘ軸方向の最も正方向側に位置する線路部２０のｘ軸方向の正方向側の端部を外部端子１６ａ，１６ｂと呼ぶ。外部端子１６ａ，１６ｂの表面には、金めっきが施されている。
【００２６】
線路部２０の長さＬ１（図３参照）及び線路部２１の長さＬ２（図３参照）は、信号線路Ｓ１を伝送される高周波信号の波長の１／２よりも短い。以上のような線路部２０，２１は、銀や銅やアルミニウム等を主成分とする比抵抗の小さな金属材料により作製されている。
【００２７】
ビアホール導体ｂ１（第１の層間接続部）は、誘電体シート１８をｚ軸方向に貫通することにより、誘電体シート１８の表面と誘電体シート１８の裏面とを繋いでいる。そして、ビアホール導体ｂ１のｚ軸方向の正方向側の端部は、線路部２０のｘ軸方向の正方向側の端部に接続されている。ビアホール導体ｂ１のｚ軸方向の負方向側の端部は、線路部２１のｘ軸方向の負方向側の端部に接続されている。
【００２８】
ビアホール導体ｂ２（第１の線路部）は、誘電体シート１８をｚ軸方向に貫通することにより、誘電体シート１８の表面と誘電体シート１８の裏面とを繋いでいる。そして、ビアホール導体ｂ２のｚ軸方向の正方向側の端部は、線路部２０のｘ軸方向の負方向側の端部に接続されている。ビアホール導体ｂ２のｚ軸方向の負方向側の端部は、線路部２１のｘ軸方向の正方向側の端部に接続されている。ビアホール導体ｂ１，ｂ２は、銀や銅を主成分とする比抵抗の小さな金属材料により作製されている。なお、ビアホール導体ｂ１，ｂ２の代わりに、貫通孔の内周面にめっき等の導体層が形成されたスルーホールが用いられてもよい。
【００２９】
以上のように、信号線路Ｓ１は、線路部２０，２１がビアホール導体ｂ１，ｂ２によって交互に接続されている。これにより、信号線路Ｓ１は、図２に示すように、ｙ軸方向から平面視したときに、ｚ軸方向に振動しながらｘ軸方向に進行するジグザグ形状をなしている。
【００３０】
グランド導体２２（第１のグランド導体）は、図２及び図３に示すように、線路部２０が設けられている誘電体シート１８の表面に設けられ、ｚ軸方向（誘電体シート１８の表面の法線方向）から平面視したときに、複数の線路部２１と重なっていると共に、複数の線路部２０と重なっていない。グランド導体２２は、銀や銅やアルミニウム等を主成分とする比抵抗の小さな金属材料により作製されている。以下に、グランド導体２２についてより詳細に説明する。
【００３１】
グランド導体２２は、図２に示すように、線路部２２ａ及び端子部２２ｂ，２２ｃにより構成されている。線路部２２ａは、線路部１８ａの表面に設けられ、ｘ軸方向に延在している。線路部２２ａは、図２及び図３に示すように、グランド部２３ａ〜２３ｃを含んでいる。
【００３２】
グランド部２３ａ（第１のグランド部）は、図３に示すように、線路部１８ａの表面において線路部２０よりもｙ軸方向の正方向側に設けられており、線路部２０に沿ってｘ軸方向に延在している。また、グランド導体２３ａは、中間部分２３ａ−１及び端部２３ａ−２，２３ａ−３を有している。端部２３ａ−２は、グランド導体２３ａのｘ軸方向の正方向側の端部である。端部２３ａ−３は、グランド導体２３ａのｘ軸方向の負方向側の端部である。中間部分２３ａ−１は、グランド導体２３ａにおける端部２３ａ−２，２３ａ−３以外の部分であり、端部２３ａ−２と端部２３ａ−３とに挟まれた部分である。端部２３ａ−２，２３ａ−３は、中間部分２３ａ−１よりも線路部２０に近接している。すなわち、端部２３ａ−２，２３ａ−３は、中間部分２３ａ−１よりもｙ軸方向の負方向側に突出している。
【００３３】
グランド部２３ｂ（第３のグランド部）は、線路部１８ａの表面において線路部２０よりもｙ軸方向の負方向側（すなわち、線路部２０に関してグランド部２３ａの反対側）に設けられており、線路部２０に沿ってｘ軸方向に延在している。また、グランド導体２３ｂは、中間部分２３ｂ−１及び端部２３ｂ−２，２３ｂ−３を有している。端部２３ｂ−２は、グランド導体２３ｂのｘ軸方向の正方向側の端部である。端部２３ｂ−３は、グランド導体２３ｂのｘ軸方向の負方向側の端部である。中間部分２３ｂ−１は、グランド導体２３ｂにおける端部２３ｂ−２，２３ｂ−３以外の部分であり、端部２３ｂ−２と端部２３ｂ−３とに挟まれた部分である。端部２３ｂ−２，２３ｂ−３は、中間部分２３ｂ−１よりも線路部２０に近接している。すなわち、端部２３ｂ−２，２３ｂ−３は、中間部分２３ｂ−１よりもｙ軸方向の正方向側に突出している。
【００３４】
グランド部２３ｃ（第５のグランド部）は、隣り合う線路部２０の間に設けられており、ｚ軸方向から平面視したときに、線路部２１と重なっている。また、グランド部２３ｃは、ｘ軸方向の両側に位置しているグランド部２３ａ，２３ｂと接続されている。具体的には、グランド部２３ｃは、ｘ軸方向の負方向側に位置しているグランド部２３ａ，２３ｂの端部２３ａ−２，２３ｂ−２に接続されていると共に、ｘ軸方向の正方向側に位置しているグランド部２３ａ，２３ｂの端部２３ａ−３，２３ｂ−３に接続されている。これにより、グランド部２３ａ〜２３ｃにより囲まれた開口部Ｏｐ１が形成されている。開口部Ｏｐ１内にはグランド導体２２が設けられていない。ただし、線路部２０は、開口部Ｏｐ１内に設けられている。これにより、線路部２０は、グランド導体２２とは絶縁された状態で、グランド導体２２に囲まれている。以上のような線路部２２ａは、図２に示すように、はしご型をなしている。
【００３５】
端子部２２ｂは、図２に示すように、接続部１８ｂの表面に設けられ、外部端子１６ａを囲むコ字型をなしている。端子部２２ｂは、線路部２２ａのｘ軸方向の負方向側の端部に接続されている。端子部２２ｃは、接続部１８ｃの表面に設けられ、外部端子１６ｂを囲むコ字型をなしている。端子部２２ｃは、線路部２２ａのｘ軸方向の正方向側の端部に接続されている。
【００３６】
グランド導体２４（第２のグランド導体）は、図２及び図３に示すように、線路部２１が設けられている誘電体シート１８の裏面に設けられ、ｚ軸方向（誘電体シート１８の裏面の法線方向）から平面視したときに、複数の線路部２０と重なっていると共に、複数の線路部２１と重なっていない。グランド導体２４は、銀や銅やアルミニウム等を主成分とする比抵抗の小さな金属材料により作製されている。以下に、グランド導体２４についてより詳細に説明する。
【００３７】
グランド導体２４は、図２に示すように、線路部２４ａ及び端子部２４ｂ，２４ｃにより構成されている。線路部２４ａは、線路部１８ａの裏面に設けられ、ｘ軸方向に延在している。線路部２４ａは、図２及び図３に示すように、グランド部２５ａ〜２５ｃを含んでいる。
【００３８】
グランド部２５ａ（第２のグランド部）は、図３に示すように、線路部１８ａの裏面において線路部２１よりもｙ軸方向の正方向側に設けられており、線路部２１に沿ってｘ軸方向に延在している。また、グランド導体２５ａは、中間部分２５ａ−１及び端部２５ａ−２，２５ａ−３を有している。端部２５ａ−２は、グランド導体２５ａのｘ軸方向の正方向側の端部である。端部２５ａ−３は、グランド導体２５ａのｘ軸方向の負方向側の端部である。中間部分２５ａ−１は、グランド導体２５ａにおける端部２５ａ−２，２５ａ−３以外の部分であり、端部２５ａ−２と端部２５ａ−３とに挟まれた部分である。端部２５ａ−２，２５ａ−３は、中間部分２５ａ−１よりも線路部２１に近接している。すなわち、端部２５ａ−２，２５ａ−３は、中間部分２５ａ−１よりもｙ軸方向の負方向側に突出している。
【００３９】
グランド部２５ｂ（第４のグランド部）は、線路部１８ａの裏面において線路部２１よりもｙ軸方向の負方向側（すなわち、線路部２１に関してグランド部２５ａの反対側）に設けられており、線路部２１に沿ってｘ軸方向に延在している。また、グランド導体２５ｂは、中間部分２５ｂ−１及び端部２５ｂ−２，２５ｂ−３を有している。端部２５ｂ−２は、グランド導体２５ｂのｘ軸方向の正方向側の端部である。端部２５ｂ−３は、グランド導体２５ｂのｘ軸方向の負方向側の端部である。中間部分２５ｂ−１は、グランド導体２５ｂにおける端部２５ｂ−２，２５ｂ−３以外の部分であり、端部２５ｂ−２と端部２５ｂ−３とに挟まれた部分である。端部２５ｂ−２，２５ｂ−３は、中間部分２５ｂ−１よりも線路部２１に近接している。すなわち、端部２５ｂ−２，２５ｂ−３は、中間部分２５ｂ−１よりもｙ軸方向の正方向側に突出している。
【００４０】
グランド部２５ｃ（第６のグランド部）は、隣り合う線路部２１の間に設けられており、ｚ軸方向から平面視したときに、線路部２０と重なっている。また、グランド部２５ｃは、ｘ軸方向の両側に位置しているグランド部２５ａ，２５ｂと接続されている。具体的には、グランド部２５ｃは、ｘ軸方向の負方向側に位置しているグランド部２５ａ，２５ｂの端部２５ａ−２，２５ｂ−２に接続されていると共に、ｘ軸方向の正方向側に位置しているグランド部２５ａ，２５ｂの端部２５ａ−３，２５ｂ−３に接続されている。これにより、グランド部２５ａ〜２５ｃにより囲まれた開口部Ｏｐ２が形成されている。開口部Ｏｐ２内にはグランド導体２４が設けられていない。ただし、線路部２１は、開口部Ｏｐ２内に設けられている。これにより、線路部２１は、グランド導体２４とは絶縁された状態で、グランド導体２４に囲まれている。以上のような線路部２４ａは、図２に示すように、はしご型をなしている。
【００４１】
端子部２４ｂは、図２に示すように、接続部１８ｂの裏面に設けられ、ベタ状をなしている。端子部２４ｂは、線路部２４ａのｘ軸方向の負方向側の端部に接続されている。端子部２４ｃは、接続部１８ｃの裏面に設けられ、ベタ状をなしている。端子部２４ｃは、線路部２４ａのｘ軸方向の正方向側の端部に接続されている。
【００４２】
ビアホール導体ｂ３（第２の層間接続部）は、図３に示すように、誘電体シート１８の線路部１８ａをｚ軸方向に貫通しており、線路部２０のｘ軸方向の正方向側の端部よりもｙ軸方向の正方向側に設けられている。ビアホール導体ｂ３のｚ軸方向の正方向側の端部は、グランド部２３ａの端部２３ａ−２に接続されている。ビアホール導体ｂ３のｚ軸方向の負方向側の端部は、グランド部２５ａの端部２５ａ−３に接続されている。これにより、ビアホール導体ｂ３は、端部２３ａ−２と端部２５ａ−２とを接続している。
【００４３】
ビアホール導体ｂ５（第３の層間接続部）は、誘電体シート１８の線路部１８ａをｚ軸方向に貫通しており、線路部２０のｘ軸方向の正方向側の端部よりもｙ軸方向の負方向側に設けられている。ビアホール導体ｂ５のｚ軸方向の正方向側の端部は、グランド部２３ｂの端部２３ｂ−２に接続されている。ビアホール導体ｂ５のｚ軸方向の負方向側の端部は、グランド部２５ｂの２５ｂ−３に接続されている。これにより、ビアホール導体ｂ５は、端部２３ｂ−２と端部２５ｂ−３とを接続している。
【００４４】
ビアホール導体ｂ３，ｂ１，ｂ５は、図２及び図３に示すように、信号線路Ｓ１が延在している方向（ｘ軸方向）に対して直交する方向（ｙ軸方向）にこの順に一列に並んでいる。そして、ビアホール導体ｂ３，ｂ１，ｂ５は、ｚ軸方向に平行に延在している。
【００４５】
ビアホール導体ｂ４は、図３に示すように、誘電体シート１８の線路部１８ａをｚ軸方向に貫通しており、線路部２０のｘ軸方向の負方向側の端部よりもｙ軸方向の正方向側に設けられている。ビアホール導体ｂ４のｚ軸方向の正方向側の端部は、グランド部２３ａの端部２３ａ−３に接続されている。ビアホール導体ｂ４のｚ軸方向の負方向側の端部は、グランド部２５ａの端部２５ａ−２に接続されている。これにより、ビアホール導体ｂ４は、端部２３ａ−３と端部２５ａ−２とを接続している。
【００４６】
ビアホール導体ｂ６は、誘電体シート１８の線路部１８ａをｚ軸方向に貫通しており、線路部２０のｘ軸方向の負方向側の端部よりもｙ軸方向の負方向側に設けられている。ビアホール導体ｂ６のｚ軸方向の正方向側の端部は、グランド部２３ｂの端部２３ｂ−３に接続されている。ビアホール導体ｂ６のｚ軸方向の負方向側の端部は、グランド部２５ｂの端部２５ｂ−２に接続されている。これにより、ビアホール導体ｂ６は、端部２３ｂ−３と端部２５ｂ−２とを接続している。
【００４７】
ビアホール導体ｂ４，ｂ２，ｂ６は、図２及び図３に示すように、信号線路Ｓ１が延在している方向（ｘ軸方向）に対して直交する方向（ｙ軸方向）にこの順に一列に並んでいる。そして、ビアホール導体ｂ４，ｂ２，ｂ６は、ｚ軸方向に平行に延在している。
【００４８】
ここで、ビアホール導体ｂ１〜ｂ６の配置についてより詳細に説明する。ビアホール導体ｂ１とビアホール導体ｂ３との距離Ｄ１は、線路部２０とグランド部２３ａの中間部分２３ａ−１との距離ｄ１よりも小さい。以下では、線路部とグランド部の中間部分との距離とは、線路部の各部分からグランド部の中間部分までの最短距離を意味する。すなわち、線路部２０と中間部分２３ａ−１との間の隙間の幅が、距離Ｄ１よりも大きい。距離Ｄ１は、１００μｍ〜２００μｍであり、距離ｄ１は、３００μｍ〜６００μｍである。
【００４９】
更に、ビアホール導体ｂ１とビアホール導体ｂ３との距離Ｄ１は、線路部２１とグランド部２５ａの中間部分２５ａ−１との距離ｄ３よりも小さい。すなわち、線路部２１と中間部分２５ａ−１との間の隙間の幅が、距離Ｄ１よりも大きい。距離ｄ３は、２５０μｍ〜６００μｍである。
【００５０】
ビアホール導体ｂ１とビアホール導体ｂ５との距離Ｄ２は、線路部２０とグランド部２３ｂの中間部分２３ｂ−１との距離ｄ２よりも小さい。すなわち、線路部２０と中間部分２３ｂ−１との間の隙間の幅が、距離Ｄ２よりも大きい。距離Ｄ２は、１００μｍ〜２００μｍであり、距離ｄ２は、３００μｍ〜６００μｍである。
【００５１】
更に、ビアホール導体ｂ１とビアホール導体ｂ５との距離Ｄ２は、線路部２１とグランド部２５ｂの中間部分２５ｂ−１との距離ｄ４よりも小さい。すなわち、線路部２１と中間部分２５ｂ−１との間の隙間の幅が、距離Ｄ２よりも大きい。距離ｄ４は、２５０μｍ〜６００μｍである。
【００５２】
ビアホール導体ｂ２とビアホール導体ｂ４との距離Ｄ３は、線路部２０とグランド部２３ａの中間部分２３ａ−１との距離ｄ１よりも小さい。すなわち、線路部２０と中間部分２３ａ−１との間の隙間の幅が、距離Ｄ３よりも大きい。距離Ｄ３は、１００μｍ〜２００μｍである。
【００５３】
更に、ビアホール導体ｂ２とビアホール導体ｂ４との距離Ｄ３は、線路部２１とグランド部２５ａの中間部分２５ａ−１との距離ｄ３よりも小さい。すなわち、線路部２１と中間部分２５ａ−１との間の隙間の幅が、距離Ｄ３よりも大きい。距離ｄ３は、２００μｍ〜８００μｍである。
【００５４】
ビアホール導体ｂ２とビアホール導体ｂ６との距離Ｄ４は、線路部２０とグランド部２３ｂの中間部分２３ｂ−１との距離ｄ２よりも小さい。すなわち、線路部２０と中間部分２３ｂ−１との間の隙間の幅が、距離Ｄ４よりも大きい。距離Ｄ４は、１００μｍ〜２００μｍである。
【００５５】
更に、ビアホール導体ｂ２とビアホール導体ｂ６との距離Ｄ４は、線路部２１とグランド部２５ｂの中間部分２５ｂ−１との距離ｄ４よりも小さい。すなわち、線路部２１と中間部分２５ｂ−１との間の隙間の幅が、距離Ｄ４よりも大きい。
【００５６】
保護層１４は、誘電体シート１８の表面の略全面を覆っている。これにより、保護層１４は、グランド導体２２を覆っている。保護層１４は、例えば、レジスト材等の可撓性樹脂からなる。
【００５７】
また、保護層１４は、図２に示すように、線路部１４ａ及び接続部１４ｂ，１４ｃにより構成されている。線路部１４ａは、線路部１８ａの表面の全面を覆うことにより、線路部２２ａを覆っている。
【００５８】
接続部１４ｂは、線路部１４ａのｘ軸方向の負方向側の端部に接続されており、接続部１８ｂの表面を覆っている。ただし、接続部１４ｂには、開口Ｈａが設けられている。開口Ｈａは、接続部１４ｂの略中央に設けられている矩形状の開口である。外部端子１６ａ及び端子部２２ｂは、開口Ｈａを介して外部に露出している。端子部２２ｂは、開口Ｈａを介して外部に露出することにより、外部端子として機能する。
【００５９】
接続部１４ｃは、線路部１４ａのｘ軸方向の正方向側の端部に接続されており、接続部１８ｃの表面を覆っている。ただし、接続部１４ｃには、開口Ｈｂが設けられている。開口Ｈｂは、接続部１４ｃの略中央に設けられている矩形状の開口である。外部端子１６ｂ及び端子部２２ｃは、開口Ｈｂを介して外部に露出している。端子部２２ｃは、開口Ｈｂを介して外部に露出することにより、外部端子として機能する。
【００６０】
コネクタ１００ａ，１００ｂはそれぞれ、接続部１２ｂ，１２ｃの表面上に実装され、信号線路Ｓ１及びグランド導体２２，２４と電気的に接続される。コネクタ１００ａ，１００ｂの構成は同じであるので、以下にコネクタ１００ｂの構成を例に挙げて説明する。図４は、高周波信号線路１０のコネクタ１００ｂの外観斜視図及び断面構造図である。
【００６１】
コネクタ１００ｂは、図１及び図４に示すように、コネクタ本体１０２、外部端子１０４，１０６及び中心導体１０８及び外部導体１１０により構成されている。コネクタ本体１０２は、矩形状の板に円筒が連結された形状をなしており、樹脂等の絶縁材料により作製されている。
【００６２】
外部端子１０４は、コネクタ本体１０２のｚ軸方向の負方向側の面において、外部端子１６ｂと対向する位置に設けられている。外部端子１０６は、コネクタ本体１０２のｚ軸方向の負方向側の面において、開口Ｈｂを介して露出している端子部２２ｃに対応する位置に設けられている。
【００６３】
中心導体１０８は、コネクタ本体１０２の円筒の中心に設けられており、外部端子１０４と接続されている。中心導体１０８は、高周波信号が入力又は出力する信号端子である。外部導体１１０は、コネクタ本体１０２の円筒の内周面に設けられており、外部端子１０６と接続されている。外部導体１１０は、接地電位に保たれるグランド端子である。
【００６４】
以上のように構成されたコネクタ１００ｂは、外部端子１０４が外部端子１６ｂと接続され、外部端子１０６が端子部２２ｃと接続されるように、接続部１２ｃの表面上に実装される。これにより、信号線路Ｓ１は、中心導体１０８に電気的に接続されている。また、グランド導体２２，２４は、外部導体１１０に電気的に接続されている。
【００６５】
以上のように構成された高周波信号線路１０では、線路部２０，２１の特性インピーダンスＺ１とビアホール導体ｂ１，ｂ２の特性インピーダンスＺ２とが異なっている。より詳細には、ビアホール導体ｂ３は、端部２３ａ−２と端部２５ａ−３とを接続している。これにより、ビアホール導体ｂ１とビアホール導体ｂ３との距離Ｄ１が線路部２０と中間部分２３ａ−１との距離ｄ１よりも小さくなる。また、ビアホール導体ｂ１とビアホール導体ｂ３との距離Ｄ１が線路部２１と中間部分２５ａ−１との距離ｄ３よりも小さくなる。同様に、ビアホール導体ｂ５は、端部２３ｂ−２と端部２５ｂ−３とを接続している。これにより、ビアホール導体ｂ１とビアホール導体ｂ５との距離Ｄ２が線路部２０と中間部分２３ｂ−１との距離ｄ２よりも小さくなる。また、ビアホール導体ｂ１とビアホール導体ｂ５との距離Ｄ２が線路部２１と中間部分２５ｂ−１との距離ｄ４よりも小さくなる。よって、ビアホール導体ｂ１とビアホール導体ｂ３，ｂ５との間に形成される容量は、線路部２０と中間部分２３ａ−１，２３ｂ−１との間に形成される容量及び線路部２１と中間部分２５ａ−１，２５ｂ−１との間に形成される容量よりも大きくなる。その結果、ビアホール導体ｂ１の特性インピーダンスＺ２は、線路部２０，２１の特性インピーダンスＺ１よりも小さくなる。また、同様の理由により、ビアホール導体ｂ２の特性インピーダンスＺ２は、線路部２０，２１の特性インピーダンスＺ１よりも小さくなる。
【００６６】
特性インピーダンスＺ１は、例えば、５５Ωであり、特性インピーダンスＺ２は、例えば、４５Ωである。また、信号線路Ｓ１の全体の特性インピーダンスは、例えば、５０Ωである。
【００６７】
また、高周波信号線路１０では、信号線路Ｓ１の両端（すなわち、外部端子１６ａ，１６ｂ）の特性インピーダンスＺ３は、線路部２０，２１の特性インピーダンスＺ１とビアホール導体ｂ１，ｂ２の特性インピーダンスＺ２との間の大きさとなっている。
【００６８】
高周波信号線路１０は、以下に説明するように用いられる。図５は、高周波信号線路１０が用いられた電子機器２００をｙ軸方向及びｚ軸方向から平面視した図である。
【００６９】
電子機器２００は、高周波信号線路１０、回路基板２０２ａ，２０２ｂ、レセプタクル２０４ａ，２０４ｂ、バッテリーパック（金属体）２０６及び筐体２１０を備えている。
【００７０】
バッテリーパック２０６は、例えば、リチウムイオン２次電池であり、その表面が金属カバーにより覆われた構造を有している。回路基板２０２ａ、バッテリーパック２０６及び回路基板２０２ｂは、ｘ軸方向の負方向側から正方向側へとこの順に並んでいる。
【００７１】
高周波信号線路１０の表面（より正確には、保護層１４）は、バッテリーパック２０６に対して接触している。そして、高周波信号線路１０の表面とバッテリーパック２０６とは、接着剤等により固定されている。
【００７２】
レセプタクル２０４ａ，２０４ｂはそれぞれ、回路基板２０２ａ，２０２ｂのｚ軸方向の負方向側の主面上に設けられている。レセプタクル２０４ａ，２０４ｂにはそれぞれ、コネクタ１００ａ，１００ｂが接続される。これにより、コネクタ１００ａ，１００ｂの中心導体１０８には、回路基板２０２ａ，２０２ｂとの間を伝送される例えば０．５ＧＨｚ〜３．０ＧＨｚの周波数を有する高周波信号がレセプタクル２０４ａ，２０４ｂを介して印加される。また、コネクタ１００ａ，１００ｂの外部導体１１０は、回路基板２０２ａ，２０２ｂ及びレセプタクル２０４ａ，２０４ｂを介して、グランド電位に保たれる。これにより、高周波信号線路１０は、回路基板２０２ａ，２０２ｂ間を接続している。
【００７３】
ここで、バッテリーパック２０６のｚ軸方向の負方向側の主面とレセプタクル２０４ａ，２０４ｂとの間には段差が存在する。よって、誘電体素体１２の線路部１２ａの両端が湾曲させられることによって、コネクタ１００ａ，１００ｂはそれぞれ、レセプタクル２０４ａ，２０４ｂに接続されている。
【００７４】
（高周波信号線路の製造方法）
以下に、高周波信号線路１０の製造方法について図２を参照しながら説明する。以下では、一つの高周波信号線路１０が作製される場合を例にとって説明するが、実際には、大判の誘電体シートが積層及びカットされることにより、同時に複数の高周波信号線路１０が作製される。
【００７５】
まず、両面の全面に銅箔が形成された熱可塑性樹脂からなる誘電体シート１８を準備する。誘電体シート１８の銅箔の表面は、例えば、防錆のための亜鉛鍍金が施されることにより、平滑化されている。銅箔の厚さは、１０μｍ〜２０μｍである。
【００７６】
次に、フォトリソグラフィ工程により、図２に示す線路部２０及びグランド導体２２を誘電体シート１８の表面に形成する。具体的には、誘電体シート１８の銅箔上に、図２に示す線路部２０及びグランド導体２２と同じ形状のレジストを印刷する。そして、銅箔に対してエッチング処理を施すことにより、レジストにより覆われていない部分の銅箔を除去する。その後、レジストを除去する。これにより、図２に示すような、線路部２０及びグランド導体２２が誘電体シート１８の表面に形成される。
【００７７】
次に、フォトリソグラフィ工程により、図２に示す線路部２１及びグランド導体２４を誘電体シート１８の裏面に形成する。なお、ここでのフォトリソグラフィ工程は、線路部２０及びグランド導体２２を形成する際のフォトリソグラフィ工程と同様であるので、説明を省略する。
【００７８】
次に、誘電体シート１８のビアホール導体ｂ１〜ｂ６が形成される位置に対して、裏面側からレーザービームを照射して、貫通孔を形成する。その後、誘電体シート１８に形成した貫通孔に対して、導電性ペーストを充填してビアホール導体ｂ１〜ｂ６を形成する。なお、ビアホール導体ｂ１〜ｂ６は必ずしも貫通孔が導体で完全に埋められている必要はなく、例えば貫通孔の内周面のみに沿って導体を形成することによって形成されてもよい。
【００７９】
最後に、樹脂（レジスト）ペーストを塗布することにより、誘電体シート１８の表面及び裏面のそれぞれに保護層１４，１５を形成する。
【００８０】
（効果）
以上のように構成された高周波信号線路１０によれば、低い周波数のノイズの発生を抑制できる。より詳細には、特許文献１に記載の信号線路５００では、端部５４０ａ，５４０ｂにおける信号線５３２の特性インピーダンスが線路部５４２における信号線５３２の特性インピーダンスと異なっている。そのため、端部５４０ａ，５４０ｂにおいて高周波信号の反射が発生する。これにより、端部５４０ａ，５４０ｂ間の距離を１／２波長とする低い周波数の定在波が発生する。その結果、信号線路５００から低い周波数のノイズが放射される。
【００８１】
一方、高周波信号線路１０では、前記の通り、線路部２０，２１の特性インピーダンスＺ１とビアホール導体ｂ１，ｂ２の特性インピーダンスとは異なっている。具体的には、特性インピーダンスＺ１が特性インピーダンスＺ２よりも大きくなる。よって、信号線路Ｓ１の特性インピーダンスは、特性インピーダンスＺ１と特性インピーダンスＺ２との間を周期的に変動するようになる。その結果、信号線路Ｓ１では、ビアホール導体ｂ１，ｂ２間の距離（すなわち、線路部２０，２１の長さＬ１，Ｌ２）を１／２波長とする短い波長（すなわち、高い周波数）の定在波が発生するようになる。一方、外部端子１６ａ，１６ｂ間の距離を１／２波長とするに長い波長（すなわち、低い周波数）の定在波が発生しにくくなる。以上より、高周波信号線路１０では、低い周波数のノイズの発生が抑制される。
【００８２】
なお、高周波信号線路１０では、ビアホール導体ｂ１，ｂ２間において発生した定在波により高い周波数のノイズが発生する。そこで、ビアホール導体ｂ１，ｂ２間の距離（すなわち、線路部２０，２１の長さＬ１，Ｌ２）を十分に短く設計することによって、信号線路Ｓ１を伝送される高周波信号の帯域外にノイズの周波数を設定することが可能である。そのためには、信号線路Ｓ１を伝送される高周波信号の波長の１／２より、隣り合うビアホール導体ｂ１，ｂ２間の距離（すなわち、線路部２０，２１の長さＬ１，Ｌ２）を短くすればよい。
【００８３】
また、高周波信号線路１０では、信号線路Ｓ１の両端の特性インピーダンスＺ３は、線路部２０，２１の特性インピーダンスＺ１とビアホール導体ｂ１，ｂ２の特性インピーダンスＺ２との間の大きさである。これにより、信号線路Ｓ１では、ビアホール導体ｂ１，ｂ２間において短い波長の定在波が発生しやすくなり、信号線路Ｓ１の両端間において長い波長の定在波が発生しにくくなる。その結果、高周波信号線路１０では、低い周波数のノイズの発生がより効果的に抑制される。
【００８４】
また、高周波信号線路１０では、線路部２０とグランド導体２２との間の隙間の幅を調整することによって、線路部２０とグランド導体２２との間に形成される容量の大きさを調整することが可能である。具体的には、線路部２０とグランド導体２２との間の隙間の幅が小さくなれば、線路部２０とグランド導体２２との間に形成される容量が大きくなる。一方、線路部２０とグランド導体２２との間の隙間の幅が大きくなれば、線路部２０とグランド導体２２との間に形成される容量が小さくなる。
【００８５】
また、高周波信号線路１０では、線路部２０とグランド導体２２との間の隙間の幅を小さくすることによって、線路部２０から出る電気力線がグランド導体２２に吸収されやすくなる。その結果、線路部２０からノイズが輻射されることが抑制されるようになる。
【００８６】
また、高周波信号線路１０では、以下に説明するように、高周波信号線路１０の薄型化を図ることが可能である。より詳細には、グランド導体２２には、ｚ軸方向から平面視したときに、開口部Ｏｐ１が設けられている。そして、線路部２０は、開口部Ｏｐ１内に設けられている。これにより、線路部２０は、グランド導体２２と対向していない。そのため、線路部２０とグランド導体２２との間には小さな容量しか形成されていない。したがって、線路部２０の特性インピーダンスＺ１を所定の特性インピーダンス（例えば、７０Ω）に維持した状態で、線路部２０とグランド導体２２とを近づけることが可能となる。本実施形態では、線路部２０とグランド導体２２とは同じ誘電体シート１８に設けられている。その結果、高周波信号線路１０の薄型化が図られる。高周波信号線路１０の薄型化が図られると、高周波信号線路１０を容易に曲げることが可能となる。
【００８７】
同様に、グランド導体２４には、ｚ軸方向から平面視したときに、開口部Ｏｐ２が設けられている。そして、線路部２１は、開口部Ｏｐ２内に設けられている。これにより、線路部２１は、グランド導体２４と対向していない。そのため、線路部２１とグランド導体２４との間には小さな容量しか形成されていない。したがって、線路部２１の特性インピーダンスＺ１を所定の特性インピーダンス（例えば、７０Ω）に維持した状態で、線路部２１とグランド導体２４とを近づけることが可能となる。本実施形態では、線路部２１とグランド導体２４とは同じ誘電体シート１８に設けられている。その結果、高周波信号線路１０の薄型化が図られる。高周波信号線路１０の薄型化が図られると、高周波信号線路１０を容易に曲げることが可能となる。
【００８８】
また、高周波信号線路１０によれば、高周波信号線路１０から磁束が漏れることが抑制される。より詳細には、線路部２０に電流ｉ１（図３参照）が流れると、線路部２０を中心軸として、線路部２０を周回する磁束が発生する。このような磁束が高周波信号線路１０外に漏れると、他の回路の信号線と線路部２０とが磁界結合するおそれがある。その結果、高周波信号線路１０において、所望の特性を得ることが困難となる。
【００８９】
そこで、高周波信号線路１０では、線路部２０がグランド導体２２の開口部Ｏｐ１内に設けられている。これにより、線路部２０とグランド導体２２とが近接するようになる。線路部２０に電流ｉ１が流れると、グランド導体２２には該電流ｉ１と逆向きの帰還電流ｉ２が流れる。よって、線路部２０の周囲の磁束の周回方向とグランド導体２２の周囲の磁束の周回方向とが逆向きになる。この場合、線路部２０とグランド導体２２との間の隙間では磁束が強めあうのに対して、グランド導体２２よりもｙ軸方向の正方向側及び負方向側の領域（すなわち、高周波信号線路１０外の領域）では磁束が打ち消し合う。その結果、高周波信号線路１０外に磁束が漏れることが抑制される。なお、線路部２０とグランド導体２４との間においても、同様の現象が生じている。
【００９０】
（第１の変形例）
以下に、第１の変形例に係る高周波信号線路１０ａについて図面を参照しながら説明する。図６は、第１の変形例に係る高周波信号線路１０ａの信号線路Ｓ１及びグランド導体２２，２４を平面視した図である。
【００９１】
高周波信号線路１０ａは、ビアホール導体ｂ１〜ｂ６がそれぞれ複数（３つ）ずつｘ軸方向に並ぶように設けられている点において高周波信号線路１０と相違する。これにより、ビアホール導体ｂ１とビアホール導体ｂ３，ｂ５との間に形成される容量及びビアホール導体ｂ２とビアホール導体ｂ４，ｂ６との間に形成される容量が大きくなる。これにより、ビアホール導体ｂ１，ｂ２の特性インピーダンスＺ２をより小さくできる。
【００９２】
また、ビアホール導体ｂ１，ｂ２における抵抗値が低減されるので、信号線路Ｓ１の抵抗値が低減され、信号線路Ｓ１の高周波特性が向上する。
【００９３】
（第２の変形例及び第３の変形例）
以下に、第２の変形例に係る高周波信号線路１０ｂについて図面を参照しながら説明する。図７は、第２の変形例に係る高周波信号線路１０ｂの信号線路Ｓ１及びグランド導体２２，２４を平面視した図である。図８は、第３の変形例に係る高周波信号線路１０ｃの信号線路Ｓ１及びグランド導体２２，２４を平面視した図である。
【００９４】
高周波信号線路１０ｂは、図７に示すように、グランド部２３ｃ，２５ｃが設けられていない点において高周波信号線路１０と相違する。これにより、線路部２０とグランド導体２２とがコプレナー構造をなし、線路部２１とグランド導体２４とがコプレナー構造をなし、ビアホール導体ｂ１，ｂ３，ｂ５がコプレナー構造をなし、ビアホール導体ｂ２，ｂ４，ｂ６がコプレナー構造をなすようになる。
【００９５】
以上のような高周波信号線路１０ｂによれば、高周波信号線路１０ｂを曲げて用いることが容易となる。
【００９６】
また、図８に示す高周波信号線路１０ｃのように、グランド部２３ｃが設けられておらず、グランド部２５ｃが設けられていてもよい。また、グランド部２３ｃが設けられ、グランド部２５ｃが設けられていなくてもよい。
【００９７】
（第４の変形例）
以下に、第４の変形例に係る高周波信号線路１０ｄについて図面を参照しながら説明する。図９は、第４の変形例に係る高周波信号線路１０ｄの信号線路Ｓ１及びグランド導体２２，２４を平面視した図である。
【００９８】
高周波信号線路１０ｄは、端部２３ａ−２，２３ａ−３，２３ｂ−２，２３ｂ−３が線路部２０のｘ軸方向の両端に近づくにしたがって線路部２０に近づくように線路部２０に対して傾斜している点において、高周波信号線路１０ｂと相違する。また、同様に、端部２５ａ−２，２５ａ−３，２５ｂ−２，２５ｂ−３は、線路部２１のｘ軸方向の両端に近づくにしたがって線路部２１に近づくように線路部２１に対して傾斜している。
【００９９】
高周波信号線路１０ｄによれば、線路部２０とグランド導体２２との間に形成される容量は、線路部２０の両端に近づくにしたがって徐々に大きくなる。そのため、線路部２０の特性インピーダンスＺ１は、線路部２０の両端に近づくにしたがって徐々に小さくなる。その結果、線路部２０の特性インピーダンスＺ１が急激に変動することが抑制され、線路部２０において高周波信号の反射が発生することが抑制される。同様の理由により、線路部２１において高周波信号の反射が発生することが抑制される。
【０１００】
（その他の実施形態）
本発明に係る高周波信号線路は、前記実施形態に係る高周波信号線路１０，１０ａ〜１０ｄに限らず、その要旨の範囲内において変更可能である。
【０１０１】
なお、高周波信号線路１０，１０ａ〜１０ｄの構成を組み合わせてもよい。
【０１０２】
また、高周波信号線路１０，１０ａ〜１０ｄと回路基板等との接続に、コネクタ１００ａ，１００ｂ以外の構成が用いられてもよい。コネクタ１００ａ，１００ｂ以外の構成とは、例えば、フラットケーブル用のコネクタや異方性導電性接着剤等が挙げられる。
【産業上の利用可能性】
【０１０３】
本発明は、高周波信号線路に有用であり、特に、低い周波数のノイズの発生を抑制できる点において優れている。
【符号の説明】
【０１０４】
Ｏｐ１，Ｏｐ２  開口部
Ｓ１  信号線路
ｂ１〜ｂ６  ビアホール導体
１０，１０ａ〜１０ｄ  高周波信号線路
１２  誘電体素体
１８  誘電体シート
２０，２１  線路部
２２，２４  グランド導体
２３ａ〜２３ｃ，２５ａ〜２５ｃ  グランド部
２３ａ−２，２３ａ−３，２３ｂ−２，２３ｂ−３，２５ａ−２，２５ａ−３，２５ｂ−２，２５ｂ−３  端部
２３ａ−１，２３ｂ−１，２５ａ−１，２５ｂ−１  中間部分
【図１】
2014002766.tif 000003
【図２】
2014002766.tif 000004
【図３】
2014002766.tif 000005
【図４】
2014002766.tif 000006
【図５】
2014002766.tif 000007
【図６】
2014002766.tif 000008
【図７】
2014002766.tif 000009
【図８】
2014002766.tif 000010
【図９】
2014002766.tif 000011
【図１０】
2014002766.tif 000012
【国際調査報告】
2014002766.tif 000013
2014002766.tif 000014
2014002766.tif 000015
2014002766.tif 000016